(57)【要約】【課題】冷却効率の良好なプロジェクタを備えた電子黒板を提供すること。【解決手段】電子黒板１は、赤、緑、青の各色光を射出する光源であるＬＥＤ３１Ｒ，３１Ｇ，３１Ｂと、各色光の光軸３５に沿ってそれぞれ配置されている光学変換部３２Ｒ，３２Ｇ，３２Ｂおよび光学変調部３３Ｒ，３３Ｇ，３３Ｂからなる光学装置３０を有するプロジェクタ３を筐体２に内蔵しており、各光軸３５は、冷却空気の流れ方向と直交する同一面にあって、冷却空気によって光学装置３０が同時且つ同等に冷却される。【選択図】図３
2008311814.tif 000002
【特許請求の範囲】
【請求項１】
筐体と、
前記筐体に保持され記録対象が描かれる記録シートと、
光源および該光源から射出された光束を画像信号に応じて変調して投射するための光学装置と、を有する投射機器と、
前記投射機器を冷却する冷却空気を流動させる冷却部と、を備え、
前記光学装置は、前記光束の光軸が前記冷却空気の流動方向と略直交するように配置されていることを特徴とする電子黒板。
【請求項２】
請求項１に記載の電子黒板において、
温度センサをさらに備え、
前記投射機器の温度が設定温度以上の場合には、前記冷却部を稼動させ、前記投射機器の温度が前記設定温度以下の場合には、前記冷却部を停止させることを特徴とする電子黒板。
【請求項３】
請求項１または２に記載の電子黒板において、
前記投射機器は、前記記録シートを保持する筐体の内部に収容されていることを特徴とする電子黒板。
【請求項４】
請求項３に記載の電子黒板において、
前記冷却空気は、前記投射機器が収容された前記筐体の一端側から吸入され、前記筐体内を略直線状に流れて前記投射機器を冷却後、前記筐体の他端側から排出されることを特徴とする電子黒板。
【請求項５】
請求項３に記載の電子黒板において、
前記冷却部は、前記他端側にのみ設けられたファンであることを特徴とする電子黒板。
【発明の詳細な説明】
【技術分野】
【０００１】
本発明は、投射機器と冷却機構とを備えた電子黒板に関する。
【背景技術】
【０００２】
従来、投射機器による資料等のプレゼンテーションと、プレゼンテーション討議の記録の書き込みとを同時に行うために、投射機器を内蔵した電子黒板も知られている。この電子黒板には、投射部を黒板へ向けた投射機器が、電子黒板のアームの先端に設けられている。投射機器は、黒板の任意位置へ任意の大きさの映像を投射でき、黒板の所望位置に映像が投射されない余白部を設けることが可能である。この余白部へ筆記具等で文字や絵などを書き込むことにより、プレゼンテーションの記録が残せる（例えば特許文献１）。
【０００３】
また、投射機器は、光源部や光学変調部等の冷却が必要であり、特許文献１では、ファンによりアームへ吸い込んだ空気によって、光源部や光学変調部等を冷却する構成が簡単に述べられている。また、投射機器における冷却について、ファンにより導入した空気を、ダクト等によって光源部や光変調部等へ個別に導き、それぞれを十分に冷却する構成となっている。この冷却構成は、光学変調部の方式が液晶パネルによるものや、マイクロミラーデバイスによるもの等であっても、方式に関わりなく、ほぼ同様なものである（例えば特許文献２および３）。
【０００４】
【特許文献１】特開２００３−３４１２８９号公報
【特許文献２】特開２００５−３３８２３６号公報
【特許文献３】特開２００６−３０１３６８号公報
【発明の開示】
【発明が解決しようとする課題】
【０００５】
しかし、従来の技術では、アームに投射機器を取り付ける方式であるため、投射機器を少しでも小型軽量にする必要がある。そのため、電子黒板の筐体内に投射機器を配置することが考えられるが、従来のように、ダクトと吸気および排気用の複数のファンとを用いて冷却空気を導く方式では、光学変調部等の冷却は十分行えるが、小型軽量化が困難である。また、ダクトを廃した方式では、小型化は図れるが、空気の流れが阻害されて、光学変調部等の冷却が十分に行われ難い、という課題があった。
【課題を解決するための手段】
【０００６】
本発明は、上記課題の少なくとも一部を解決するためのものであり、以下の形態または適用例として実現することが可能である。
【０００７】
［適用例１］本適用例にかかる電子黒板は、筐体と、筐体に保持され記録対象が描かれる記録シートと、光源および光源から射出された光束を画像信号に応じて変調して投射するための光学装置を有する投射機器と、投射機器を冷却する冷却空気を流動させる冷却部と、を備え、光学装置は、光束の光軸が冷却空気の流動方向と略直交するように配置されていることを特徴とする。
【０００８】
この電子黒板において、電子黒板が備える投射機器は、発熱部を有しており、発熱部による熱の影響を排除するため、冷却空気で冷却されている。殊に、投射機器を主に構成する光学装置は、光学装置を構成する光源等の各光学要素が同等に冷却されて、機能維持されることが好ましい。そのために、光源から射出される光束の光軸が、冷却空気の流動方向と略直交するように、光学装置を配置する。つまり、各光学要素に対して、温度や流速等がほぼ同様の冷却空気を同時に供給し、各光学要素を同条件の冷却空気によって同等に冷却する。このような配置により、各光学要素へ冷却空気を導くダクト等が不要であり、また、冷却空気の滞留等に起因する冷却効果の低下を防ぎ、光学装置の十分な冷却が行える。そして、投射機器の小型化を図ることができ、電子黒板は、投射機器を備えながらも、コンパクトに構成することが可能となる。
【０００９】
［適用例２］上記適用例にかかる電子黒板において、温度センサをさらに備え、投射機器の温度が設定温度以上の場合には、冷却部を稼動させ、投射機器の温度が設定温度以下の場合には、冷却部を停止させることが好ましい。
【００１０】
この構成によれば、電子黒板は、温度センサを用いることにより、投射機器の温度が設定以上に上昇した場合にのみ、冷却部を稼動させて、光学装置等を冷却する。そして、効率良く冷却される配置の光学装置を有する投射機器が十分に冷却されて、温度が設定以下になった場合には、冷却部を停止させ、冷却部が必要以上に稼動し続ける無駄を排除する。これにより、電子黒板の省電力化が図れる。
【００１１】
［適用例３］上記適用例にかかる電子黒板において、投射機器は、記録シートを保持する筐体の内部に収容されていることが好ましい。
【００１２】
この構成によれば、投射機器は、小型化された光学装置を有しコンパクトに構成されて、電子黒板の筐体の内部に納められている。筐体は、記録シートを保持しつつ電子黒板を形成しており、この筐体をできるだけ小さくするように、光学装置等が筐体内部へ配置されている。従って、電子黒板は、従来の投射機器を内蔵していない電子黒板とほぼ同様な外観であって、ユーザーは、使用に際して、ほとんど違和感等を抱くことがない。また、投射機器の設置場所を新たに確保する必要がなく、部屋のスペースを有効に活用でき、且つ投射機器を使用する会議等の準備を短時間で行うことが可能である。
【００１３】
［適用例４］上記適用例にかかる電子黒板において、冷却空気は、投射機器が収容された筐体の一端側から吸入され、筐体内を略直線状に流れて投射機器を冷却後、筐体の他端側から排出されることが好ましい。
【００１４】
この構成によれば、筐体は、冷却空気が筐体の一端側から他端側へほぼ直線状に流れるように構成されていて、冷却空気の滞留等を防ぎスムーズな冷却空気の流れが形成されている。投射機器の光学装置等は、この冷却空気の流れに沿って配置されているため、冷却空気の通りが良好であり、それぞれが十分に冷却される。投射機器の主構成装置である光学装置は、冷却空気の流れ方向とほぼ直角をなす光軸に沿って光源等の各光学要素が配置されている。これにより、光源等の各光学要素には、冷却空気が同方向から同時に供給され、それぞれの光学要素が効率的に冷却される。光学装置は、ばらつきの少ないほぼ均一な温度に保たれ、長期に機能を維持することが可能である。
【００１５】
［適用例５］上記適用例にかかる電子黒板において、冷却部は、他端側にのみ設けられたファンであることが好ましい。
【００１６】
この構成によれば、冷却空気は、筐体内を略直線状に流れる単純な構成であるため、屈曲したダクトに沿わせて冷却空気を流す場合のような強い圧力の付与が不要である。従って、この場合、冷却部として冷却空気の吸入および排出を行うためのファンは、他端側にのみ設けられている。この場合、他端側に設けられたファンが筐体から冷却空気を排出し、筐体内を負圧にすることにより、一端側からは冷却空気が吸入され、投射機器が冷却される。冷却空気が筐体内を略直線状に流れる構成にすることにより、ファンを最少の１台だけ設置して冷却空気を吸排気することが可能である。また、筐体内を冷却空気の流路とするため、冷却空気の流量が十分に確保でき、ファンの回転数を落として静粛な稼動が行える。
【発明を実施するための最良の形態】
【００１７】
以下、電子黒板の具体的な実施形態について図面に従って説明する。本実施形態における電子黒板は、記録対象が書き込まれる黒板や白板等としての役目をする記録シートと、映像を拡大投射するプロジェクタ（投射機器）と、を備えている。また、電子黒板は、プロジェクタを効果的に冷却する構成を備えている。
（実施形態）
【００１８】
図１は、本実施形態の電子黒板の外観を示す斜視図である。電子黒板１は、矩形をなした枠状の筐体２と、筐体２が形成する枠状の内側を塞ぐように設けられ筆記具等で文字や図形等の記録対象を前面側に書き込める記録シート９と、を備えている。筐体２は、矩形枠状の上部を形成する上部筐体２ａと、下部を形成する下部筐体２ｂと、上部筐体２ａおよび下部筐体２ｂのそれぞれの左右端部を連結する２本の側部筐体２ｃと、筐体２の後面側を塞ぐ後部筐体（不図示）と、を有している。
【００１９】
上部筐体２ａは、内部が空洞の直方体であって、この空洞には、図示していないプロジェクタ（投射機器）３が収容されている。また、上部筐体２ａは、上部筐体２ａの前面を向いた面に設けられプロジェクタ３の投射部３４からの光束を射出するための射出孔２ｅと、一方の側部筐体２ｃの側に位置する側端面に設けられ、プロジェクタ３を冷却するための冷却空気を取り入れるための吸気口４と、他方の側部筐体２ｃに設けられプロジェクタ３を冷却した冷却空気を排気するための排気口５と、を有している。吸気口４には、塵埃等の浸入を防ぐフィルタ（不図示）が設けられている。
【００２０】
そして、下部筐体２ｂは、記録シート９に文字や図形等を書き込む筆記具等を収容する受部２ｄと、電子黒板１を稼動させるための操作ボタン類と液晶表示部とが配置された操作パネル６と、パーソナルコンピュータ等の外部機器を接続するためのコネクタ部７と、図示していないスキャナで読み取った記録シート９の記録対象を印刷するプリンタ８と、を有している。
【００２１】
以上のような構成の電子黒板１をプレゼンテーションに用いれば、プレゼンターは、まずコネクタ部７に接続したパーソナルコンピュータから、プレゼンテーション等の資料を電子黒板１へ送り、プロジェクタ３の投射部３４から投射することにより、拡大された見やすい資料によって説明が行える。同時に、プレゼンターは、説明の補足内容や討議内容を記録シート９へ書き込むことができ、投射資料と合わせて理解し易いプレゼンテーションを行える。この場合、プロジェクタ３は、電子黒板１の筐体２の内部に収容されており、プロジェクタ３のために新たな設置スペースおよび電源の確保、配線作業等を行う必要が無く、電子黒板１用の設置スペースと電源とが確保できれば良いため、プレゼンテーションの準備が短時間で簡便に行える。
【００２２】
次に、筐体２に収容されているプロジェクタ３について説明する。図２は、電子黒板に搭載されたプロジェクタの概構成を示す斜視図である。また、図３は、液晶パネルを用いた光学装置の詳細な構成を示す模式図である。本実施形態におけるプロジェクタ３は、光源からの赤、緑、青の各色光を、それぞれの色用の３枚の液晶パネルへ射出し、各液晶パネルで色光毎に変調された光学像を合成して、投射部３４からカラー画像を含む光束３９を投射する光学装置３０を有するものである。プロジェクタ３は、収容されている上部筐体２ａが筐体２の外観バランスを損ねるように大きくなることを防ぐために、光学装置３０を小型化し、さらに各構成要素を個別にばらして配置している。
【００２３】
具体的な構成要素としては、図２に示すように、光学装置３０と、プロジェクタ３を制御するためのＣＰＵ（Central  Processing  Unit）等の制御部を含んで実装された制御基板部１７と、プロジェクタ３へ電力を供給する電源部１８と、が挙げられる。これら構成要素は、冷却が必要な発熱部であって、そのため、構成要素を冷却するために、吸気口４から冷却空気１０を導入し、排気口５から排気するように、排気口５の近傍に排気ファン５０が設けられている。つまり、冷却空気１０は、上部筐体２ａの内部を長手方向へ直線状に流れて、プロジェクタ３を冷却する。冷却空気１０が上部筐体２ａの内部を直線状に流れるため、冷却空気１０の流れに対しての抵抗が少なく、排気ファン５０のみで冷却空気１０の導入が可能である。
【００２４】
また、プロジェクタ３の各構成要素は、上部筐体２ａ内に、上部筐体２ａの長手方向に沿って光学装置３０、制御基板部１７、電源部１８の順で直線状に分散配置されており、冷却空気１０が滞留することなくスムーズに流れて、冷却効果の向上が図れる配置となっている。さらに、上部筐体２ａに構成要素を分散配置することにより、上部筐体２ａの大きさを極小に押さえるように収容することができ、筐体２の外観バランスも保持される。
【００２５】
そして、冷却空気１０の流れに沿って構成要素の配置を上流側から説明すると、まず、吸気口４側に光学装置３０が位置する。光学装置３０は、支持枠３６内に光学要素が納められていて、支持枠３６には、赤、緑、青の色光毎の光学要素を冷却するために、冷却空気１０を導くための導風孔３７ａ，３７ｂ，３７ｃが設けられている。支持枠３６の上部には、光学要素を冷却した後の冷却空気１０の温度を測定するための温度センサ１４が設けられ、温度センサ１４が測定した温度に基づいて、排気ファン５０が制御される。温度センサ１４は、光学装置３０において最も温度管理が必要とされる光学変調部３３の各液晶セル３３２Ｒ，３３２Ｇ，３３２Ｂの近傍に設置され、冷却空気１０の温度から液晶セル３３２Ｒ，３３２Ｇ，３３２Ｂの温度を推定している。なお、液晶セル３３２Ｒ，３３２Ｇ，３３２Ｂが規定温度以下に冷却されている状態であれば、制御基板部１７や電源部１８等も十分に冷却される。
【００２６】
ここで、光学装置３０について詳細に説明する。図３に示す光学装置３０は、図２の吸気口４の方向から見た配置であって、赤、緑、青の各色光を射出する光源であるＬＥＤ（Light  Emitting  Diode）３１（３１Ｒ，３１Ｇ，３１Ｂ）と、各色光の光軸３５Ｒ，３５Ｇ，３５Ｂに沿ってそれぞれ配置され、色光の偏光方向を揃える偏光変換部３２１Ｒ，３２１Ｇ，３２１Ｂ、および照度分布を均一化するロッドインテグレータ３２２Ｒ，３２２Ｇ，３２２Ｂからなる光学変換部３２（３２Ｒ，３２Ｇ，３２Ｂ）と、を有している。そして、光学装置３０は、同じく光軸３５Ｒ，３５Ｇ，３５Ｂに沿って配置され、入射偏光板３３１Ｒ，３３１Ｇ，３３１Ｂ、液晶セル３３２Ｒ，３３２Ｇ，３３２Ｂ、および出射偏光板３３３Ｒ，３３３Ｇ，３３３Ｂからなり、偏光方向の揃った色光を変調して色光毎の光学像を形成する液晶パネルである光学変調部３３（３３Ｒ，３３Ｇ，３３Ｂ）と、を有している。
【００２７】
さらに、光学装置３０は、色光毎に形成された光学像を合成してカラー画像を形成するためのクロスダイクロイックプリズム３８と、カラー画像を投射するための投射部３４と、を有している。これらＬＥＤ３１と、光学変換部３２と、光学変調部３３とは、各色光の光軸３５Ｒ，３５Ｇ，３５Ｂに沿ってそれぞれ配置されており、各色光をクロスダイクロイックプリズム３８の所定面へ入射させる。そして、光学装置３０は、各色光の光軸３５Ｒ，３５Ｇ，３５Ｂが、上部筐体２ａの長手方向と略直交する同一平面上にあり、さらに赤色光および青色光の光軸３５Ｒ，３５Ｂは、電子黒板１の上下方向に向いた同一直線上にあり、緑色光の光軸３５Ｇは、この直線と直角をなすように構成されている。
【００２８】
このような光学装置３０において、ＬＥＤ３１からクロスダイクロイックプリズム３８へ至る光学変換部３２および光学変調部３３の作用について、赤色光を例にして説明する。ＬＥＤ３１Ｒから射出されたランダム偏光である赤色光は、光学変換部３２Ｒの偏光変換部３２１Ｒへ入射する。偏光変換部３２１Ｒは、直角三角形のプリズムと平行四辺形のプリズムとが互いの斜面が対向するように張り合わされたものであり、平行四辺形のプリズムの両斜面に誘電体多層膜が形成されている。
【００２９】
赤色光は、貼り合わされた斜面の誘電体多層膜において、特定方向の直線偏光（この場合Ｐ偏光）が透過されてロッドインテグレータ３２２Ｒへ射出され、Ｐ偏光と直交する方向の直線偏光（Ｓ偏光）が他方の誘電体多層膜へ反射される。Ｓ偏光は、他方の誘電体多層膜でさらに反射されて光軸３５Ｒに沿って進み、図示していない１／２波長板によってＰ偏光に変換される。このように偏光変換部３２１Ｒは、ランダム偏光である赤色光をＰ偏光に揃えることにより、光学変調部３３Ｒにおける赤色光の利用効率の向上を図るものである。
【００３０】
ロッドインテグレータ３２２Ｒは、光軸３５Ｒに対して垂直な断面が矩形状をした透明部材からなり、ロッドインテグレータ３２２Ｒへ入射した赤色光は、ロッドインテグレータ３２２Ｒの内面で反射を繰り返し、Ｐ偏光のまま照度が均一化されて光学変調部３３Ｒへ射出される。
【００３１】
光学変調部３３Ｒは、ロッドインテグレータ３２２Ｒの側から順に、Ｐ偏光のみを透過させる入射偏光板３３１Ｒと、入射した偏光光の偏光方向を変調する液晶セル３３２Ｒと、Ｓ偏光のみを透過させる出射偏光板３３３Ｒと、を有している。ロッドインテグレータ３２２Ｒから入射した赤色光は、光学変調部３３Ｒの入射偏光板３３１Ｒを透過し、液晶セル３３２Ｒにおいて、制御基板部１７からの画像信号に応じて、偏光方向が画素単位で切り換えられる。偏光方向が画素単位で切り換えられた赤色光は、出射偏光板３３３Ｒで、Ｐ偏光が吸収され、Ｓ偏光のみが透過してクロスダイクロイックプリズム３８へ入射する。なお、ＬＥＤ３１Ｇから射出された緑色光およびＬＥＤ３１Ｂから射出された青色光も、赤色光と同様に、偏光および変調されてクロスダイクロイックプリズム３８へ入射する。
【００３２】
クロスダイクロイックプリズム３８は、三角柱状の４つのプリズムを張り合わせたもので、断面が略正方形の角柱状である。Ｘ字状の張り合わせ面には、誘電体多層膜が形成されている。クロスダイクロイックプリズム３８の投射部３４に面する側面を除いた３つの側面には、赤、緑、青の光学像を含む色光がそれぞれ入射し、クロスダイクロイックプリズム３８は、各色光を誘電体多層膜によって反射または透過することにより、カラー画像を合成する。合成されたカラー画像は、投射部３４から外部へ拡大投射される。
【００３３】
このような構成の光学装置３０において、赤色光の光軸３５Ｒに沿ってそれぞれ配置された光学要素であるＬＥＤ３１Ｒと、光学変換部３２Ｒと、光学変調部３３Ｒとを冷却するために、支持枠３６に導風孔３７ａが設けられている。同様に、緑色光および青色光の光学要素を冷却するための導風孔３７ｂおよび導風孔３７ｃが、支持枠３６に設けられている。これら導風孔３７ａ，３７ｂ，３７ｃは、図２に示すように、上部筐体２ａの長手方向と略直交する支持枠３６の同一面上にあり、冷却空気１０の流れに対しても略直交している。そのため、導風孔３７ａ，３７ｂ，３７ｃを介して、冷却空気１０をほぼ同時に各光学要素へ当てて、冷却することが可能である。各光学要素を冷却した冷却空気１０は、導風孔３７ａ，３７ｂ，３７ｃと対向する支持枠３６の面に開けられている導風孔（不図示）へ抜けて、略直線状に流れる。
【００３４】
光学装置３０の下流側には、複数の制御基板部１７が実装面を上部筐体２ａの長手方向と平行にして立設されている。このような立設により、冷却空気１０が実装面に沿って整然と流れ、発熱したＣＰＵやＩＣ（Integrated  Circuit）等が効果的に冷却される。また、制御基板部１７の下流側には、電源部１８が位置している。電源部１８は、電源ブロックと光源駆動ブロックとで構成されており、電源ブロックは、外部から供給された電力を光源駆動ブロックや制御基板部１７等に供給し、光源駆動ブロックは、ＬＥＤ３１に電力を供給している。また、電源ブロックと光源駆動ブロックとは、冷却空気１０の流れを妨げないように、流れ方向と略平行に配置されて冷却される。
【００３５】
そして、比較的発熱量の多い電源部１８は、排気ファン５０の近傍に設けられていて、電源部１８を冷却して暖まった冷却空気１０が他の構成要素の冷却に用いられることなく、即、排気される。
【００３６】
次に、電子黒板１の記録シート９について説明する。図４は、電子黒板の記録シートの構成を示す斜視図である。電子黒板１は、筐体２の一方の側部筐体２ｃに沿って設けられている駆動ローラ２１と、他方の側部筐体２ｃに沿って設けられている従動ローラ２２と、駆動ローラ２１を駆動するためのモータやギア等を有するシート搬送部２０と、を備えている。記録シート９は、駆動ローラ２１と従動ローラ２２との間に掛け回されていて、筐体２の前面側に位置するシート面へ文字や図形等の記録対象を書き込むことが可能である。
【００３７】
また、電子黒板１は、筐体２の後面側に位置する記録シート９のシート面に近接して、スキャナ１５を備えている。スキャナ１５は、記録シート９がシート搬送部２０による駆動ローラ２１の回転に連動して移動すると、記録シート９に書き込まれている記録対象を順に読み取る。電子黒板１がスキャナ１５を備えることにより、記録シート９に書かれた記録対象を書き写すような手間等をかけずに保存でき、記録対象の消去後、記録シート９へ新たな記録対象の書き込みが可能である。さらに、電子黒板１は、スキャナ１５で読み取った記録対象をプリンタ８で印刷して出力したり、プロジェクタ３で投射したり、コネクタ部７を介して外部へ伝送したりすることも行える。
【００３８】
次に、以上のような構成の電子黒板１を制御する制御系について説明する。図５は、電子黒板の制御部を主に示すブロック図である。電子黒板１の制御部４０は、制御基板部１７に実装されていて、プロジェクタ３を制御するプロジェクタ制御部１２と、プリンタ８を制御するプリンタ制御部１３と、スキャナ１５を制御するスキャナ制御部１６と、シート搬送部２０を制御する搬送制御部２５と、排気ファン５０を制御するファン制御部５５と、温度センサ１４を制御するセンサ制御部４６と、操作パネル６を制御するパネル制御部４５と、コネクタ部７を介する入出力を制御するインターフェース４４と、を有している。
【００３９】
また、制御部４０は、各制御部による処理を総合的に制御するＣＰＵ４１と、ＣＰＵ４１が参照して各種処理をするためのプログラム等を保存しているＲＯＭ（Read  Only  Memory）４２と、スキャナ１５が読み取った記録対象等を一時的に保存するためのＲＡＭ（Random  Access  Memory）４３と、を有している。これら制御部４０を構成する各々は、内部バス４７を介してそれぞれ互いに接続されている。
【００４０】
そして、操作パネル６には、プロジェクタ３、プリンタ８、スキャナ１５およびシート搬送部２０を含めて、ユーザーが電子黒板１を稼動させる操作をするための操作ボタン類と、操作状態を表示する液晶表示部と、が集中配置されている。操作ボタン類は、電子黒板１に電力を供給してスタンバイさせるための電源ボタンと、プロジェクタ３の電源、映像のフォーカス、投射照度等を操作するための各種の機器ボタンと、シート搬送部２０を稼動させるための搬送ボタンと、記録シート９の記録対象をスキャナ１５で読み取るための読取ボタンと、記録対象をプリンタ８から印刷出力するための印刷ボタンと、記録対象をプロジェクタ３で投射するための投射ボタン等である。
【００４１】
次に、このような構成の電子黒板１の使用例について説明する。図６は、電子黒板の設置例を示す斜視図である。この一例では、電子黒板１がプレゼンテーションルーム６０において用いられる場合であって、パーソナルコンピュータ（不図示）からコネクタ部７を介して入力されたプレゼンテーション資料を、プロジェクタ３によって、電子黒板１と対向して置かれたスクリーン６５へ投射し、さらに、記録シート９に書かれた補足記録等の記録対象をスキャナ１５（図４）で読み取って保存する。
【００４２】
この場合において、スタンバイ状態の電子黒板１を機能させるためにＣＰＵ４１が実行する操作手順の一例について、図５および図６を参照して説明する。まず、コネクタ部７からパーソナルコンピュータのデータ信号を受信すると、プロジェクタ３でプレゼンテーション資料のデータ投射をするようプロジェクタ制御部１２へ指示する。この時、プロジェクタ制御部１２は、操作パネル６の機器ボタンによるフォーカス等の調整にも対応する。こうして、プロジェクタ３は、投射部３４からスクリーン６５へプレゼンテーション資料を見やすく拡大投射する。
【００４３】
また、ＣＰＵ４１は、搬送ボタンの入力信号を受信すると、シート搬送部２０を稼動させて記録シート９を移動させる指示を、搬送制御部２５へ行う。この場合、搬送制御部２５は、入力信号を受信している間のみシート搬送部２０を稼動させる。搬送ボタンが押されて入力信号が送られてくるのは、記録シート９の前面へ補足記録等（記録対象）を書き込んで余白がなくなった場合等に、未書き込みの後面側を前面に移動させて書き込むためである。さらに、読取ボタンの入力信号を受信すれば、記録シート９の前面に書き込まれた記録対象のすべてを、スキャナ１５で読み取る指示をスキャナ制御部１６へ行う。従って、読取ボタンによる入力前には、読み取りたい記録対象を記録シート９の前面に移動させる必要があり、事前に記録シート９の移動量を調整しておく。スキャナ１５で読み取った記録対象は、名前を付与されてＲＡＭ４３に保存される。
【００４４】
そして、印刷ボタンの入力信号を受信すると、液晶表示部に表示されＲＡＭ４３に保存されている記録対象、または記録シート９上の記録対象をプリンタ８で印刷するようプリンタ制御部１３へ指示する。従って、印刷ボタンによる入力前には、液晶表示部に表示されている記録対象を選択しておく。これにより、プリンタ８は、指定された記録対象を印刷して出力する。
【００４５】
また、投射ボタンの入力信号を受信すると、ＲＡＭ４３に保存した記録対象をプロジェクタ３で投射するよう、プロジェクタ制御部１２へ指示する。投射ボタンは、ＲＡＭ４３に保存した記録対象をプロジェクタ３で投射するためのものであり、印刷ボタンによる入力と同様、投射ボタンによる入力前には、液晶表示部に表示されＲＡＭ４３に保存されているデータから投射する記録対象を選択しておく。プロジェクタ３は、指定された記録対象をスクリーン６５へ拡大投射する。なお、再度、投射ボタンによる入力によって、プレゼンテーション資料の投射へ戻ることが可能である。
【００４６】
そして、ＣＰＵ４１は、電源ボタンのオフ信号を受信すると、電子黒板１の機能を停止させる。この場合、ＲＡＭ４３に保存されている記録対象のデータは消去され、プロジェクタ３は冷却が完了してから機能を停止する。
【００４７】
次に、プロジェクタ３を冷却するために、ＣＰＵ４１が実行するフローについて説明する。図７は、電子黒板の冷却制御の手順を示すフローチャートである。まず、ステップＳ１において、温度センサ１４が測定した光学装置３０の温度を示す温度信号を、センサ制御部４６を介して受信し、ステップＳ２へ進む。
【００４８】
ステップＳ２において、受信した温度信号が設定した規定以上の温度を示しているか否かを判断する。規定温度は、光学装置３０を長期間機能維持するために、これ以上の温度になることを回避したい温度値である。受信温度が規定温度以下であれば、ステップＳ６へ進み、一方、規定温度以上であれば、ステップＳ３へ進む。
【００４９】
ステップＳ３において、排気ファン５０の稼動をファン制御部５５へ指示する。排気ファン５０の稼動により、冷却空気１０が吸気口４から上部筐体２ａへ導入される。冷却空気１０は、支持枠３６の導風孔３７ａ，３７ｂ，３７ｃを通って、赤色光、緑色光および青色光のそれぞれのＬＥＤ３１、光学変換部３２、光学変調部３３を冷却する。この場合、各色光のＬＥＤ３１、光学変換部３２、光学変調部３３が冷却空気１０の流れと略直交するように配置されているので、冷却空気１０は、それぞれのＬＥＤ３１、光学変換部３２、光学変調部３３へほぼ同時に当たって、効率よく冷却することが可能である。排気ファン５０の稼動を指示後、ステップＳ４へ進む。
【００５０】
ステップＳ４において、排気ファン５０の稼動により、温度センサ１４から規定温度以下の温度信号を受信したか否かを判断する。規定温度以下に下がっていなければ、ステップＳ４において、温度の下がるのを待ち、一方、規定温度以下に下がっていれば、ステップＳ５へ進む。
【００５１】
ステップＳ５において、光学装置３０を含めプロジェクタ３の温度が規定温度以下に下がったと判断して、排気ファン５０の停止をファン制御部５５へ指示する。指示後、ステップＳ６へ進む。
【００５２】
ステップＳ６において、機器ボタンの電源ボタンからオフ信号を受信したか否かを判断する。オフ信号を受信していなければ、プロジェクタ３を停止させずにステップＳ１へ戻り、一方、オフ信号を受信していれば、フローを終了する。この一連の操作により、プロジェクタ３は、映像の投射中、常にほぼ一定の温度を保って、安定した状態で稼動することが可能である。
【００５３】
以下、本実施形態の主な効果をまとめて記載する。
【００５４】
プロジェクタ３を内蔵する電子黒板１は、ＬＥＤ３１から射出される光束３９の光軸３５が、冷却空気１０の流れる方向と略直交するように、光学装置３０の光学変換部３２および光学変調部３３を配置している。よって冷却空気１０を筐体２内で略直線状に流すことができ、光学装置３０に対して、冷却空気１０を同時に当てて効率良く冷却することが可能である。プロジェクタ３は、高温で劣化することなく、長期に渡り機能維持でき、製品の長寿命化が図れる。また、冷却空気１０が筐体２内を略直線状に流れる構成で冷却空気１０への抵抗が少なくなるため、排気ファン５０のみによって、冷却空気１０を吸排気することが可能である。また、排気ファン５０の回転数を落とすことができ、静粛な運転が行える。また、上記構成とすることにより、電子黒板１内のプロジェクタ３の設置スペースを小型化することができ、電子黒板１を大型化することなくプロジェクタ３を電子黒板１内に設置することができる。
【００５５】
プロジェクタ３は、ＬＥＤ３１を用いることにより、光源の小型化、低消費電力化、発熱の抑制を図ることができ、電子黒板１は、上部筐体２ａの内部にプロジェクタ３をコンパクトに収容することが可能である。従って、上部筐体２ａが巨大化して、筐体２の外観バランスを崩すようなことがない。
【００５６】
電子黒板１は、温度センサ１４を備えており、プロジェクタ３の温度が規定以上に上昇した場合にのみ、排気ファン５０を稼動させて、光学装置３０等を冷却する。これにより、排気ファン５０が必要以上に稼動し続ける無駄を排除して、省電力化を図ることが可能である。
【００５７】
また、電子黒板１は、上記の実施形態に限定されるものではなく、次に挙げる変形例のような形態であっても、実施形態と同様な効果が得られる。
【００５８】
光学装置３０は、液晶セル３３２Ｒ，３３２Ｇ，３３２Ｂを用いたものに限定されず、マイクロミラーを用いた構成のものであっても良い。図８は、マイクロミラーを用いた光学装置を示す模式図であって、図２に示す吸気口４側から見た図である。この場合、光学装置７０は、赤色光、緑色光および青色光の光束３９を、光軸８５に沿って、交互に射出する光源７１と、光束３９を均一な照度分布にする導光ロッド７２と、導光ロッド７２からの光束３９をマイクロミラー７４へ向け反射する反射ミラー７３と、反射ミラー７３からの光束３９を変調して画像を形成するマイクロミラー７４と、画像をスクリーン等へ投射する投射部７５と、マイクロミラー７４を冷却するためのヒートシンク７６と、を有し、支持枠７７に収容されている。支持枠７７には、光源７１を冷却する冷却空気を導く導風孔８０ａと、ヒートシンク７６を冷却する冷却空気を導く導風孔８０ｂと、が設けられている。光軸８５は、本実施形態の光軸３５と同様、冷却空気の流れと略直角をなしていて、導風孔８０を通った冷却空気は、光源７１およびヒートシンク７６をほぼ同時に、効率的に冷却することが可能である。
【００５９】
電子黒板１は、プロジェクタ３を上部筐体２ａにすべて収容する構成に限定せず、上部筐体２ａ、下部筐体２ｂ、側部筐体２ｃおよび筐体２の後面側へ分散させて配置しても良い。このような分散配置により、電子黒板１は、よりコンパクトにすることが可能となる。
【００６０】
また、プロジェクタ３の冷却において、プロジェクタ３の構成要素が直線状に配置されていると、冷却空気１０の流れがスムーズであるため、冷却空気１０の吸排気は、排気ファン５０のみでも十分であるが、排気ファン５０に加え、光学装置３０の吸気口４側に吸気ファン等を追加設置した構成であっても良い。より多くの冷却空気１０を取り込むことができ、冷却効果を高められる。また、排気ファン５０を設置せず吸気ファンのみを配置した構成でも良い。
【００６１】
光学装置３０の光学変換部３２および光学変調部３３は、上部筐体２ａの長手方向と略直交する同一面上に配置されているが、この配置に限定されず、上部筐体２ａの長手方向と平行な同一面上に配置されていても良い。この場合、ファンを追加して冷却空気１０を上下方向に流し、光学変換部３２および光学変調部３３に対して、略直交して流れる冷却空気１０を供給して冷却することにより、同等の効果を得ることができる。
【００６２】
プロジェクタ３は、電子黒板１の筐体２内に収容される構成ではなく、本実施形態のようにプロジェクタを収容した別収容体を、電子黒板１の筐体２に取り付ける構成であっても良い。
【図面の簡単な説明】
【００６３】
【図１】本実施形態の電子黒板の外観を示す斜視図。
【図２】電子黒板に搭載されたプロジェクタの概構成を示す斜視図。
【図３】液晶パネルを用いた光学装置の詳細な構成を示す模式図。
【図４】電子黒板の記録シートの構成を示す斜視図。
【図５】電子黒板の制御部を主に示すブロック図。
【図６】電子黒板の設置例を示す斜視図。
【図７】電子黒板の冷却制御の手順を示すフローチャート。
【図８】マイクロミラーを用いた光学装置を示す模式図。
【符号の説明】
【００６４】
１…電子黒板、２…筐体、３…投射機器としてのプロジェクタ、４…吸気口、５…排気口、６…操作パネル、７…コネクタ部、９…記録シート、１０…冷却空気、１２…プロジェクタ制御部、１４…温度センサ、１５…スキャナ、１６…スキャナ制御部、１７…制御基板部、１８…電源部、２０…シート搬送部、２５…搬送制御部、３０…光学装置、３１…光源としてのＬＥＤ、３２…光学変換部、３３…光学変調部、３４…投射部、３５…光軸、３６…支持枠、３７ａ，３７ｂ，３７ｃ…導風孔、３９…光束、４０…制御部、４４…インターフェース、４５…パネル制御部、４６…センサ制御部、５０…冷却部としての排気ファン、５５…ファン制御部、６０…プレゼンテーションルーム、６５…スクリーン、３２１Ｒ，３２１Ｇ，３２１Ｂ…偏光変換部、３２２Ｒ，３２２Ｇ，３２２Ｂ…ロッドインテグレータ、３３１Ｒ，３３１Ｇ，３３１Ｂ…入射偏光板、３３２Ｒ，３３２Ｇ，３３２Ｂ…液晶セル、３３３Ｒ，３３３Ｇ，３３３Ｂ…出射偏光板。
【図１】
2008311814.tif 000003
【図２】
2008311814.tif 000004
【図３】
2008311814.tif 000005
【図４】
2008311814.tif 000006
【図５】
2008311814.tif 000007
【図６】
2008311814.tif 000008
【図７】
2008311814.tif 000009
【図８】
2008311814.tif 000010